【手続補正書】
【提出日】平成16年1月7日(2004.1.7)
【手続補正１】
【補正対象書類名】明細書
【補正対象項目名】発明の名称
【補正方法】変更
【補正の内容】
【発明の名称】情報配信装置、携帯情報端末、および情報配信システム


【手続補正２】
【補正対象書類名】明細書
【補正対象項目名】特許請求の範囲
【補正方法】変更
【補正の内容】
【特許請求の範囲】
【請求項１】
微弱な電波または赤外線で無線通信を行う第１の通信手段と、
インタネットに接続され、配信情報を管理するセンタと通信を行う第２の通信手段と、
複数の配信情報を記憶する配信情報記憶手段と、
上記第１の通信手段による無線通信において外部機器から配信情報の配信要求があったとき、上記配信情報記憶手段に記憶している配信情報を検索し、上記配信要求に対して該当する配信情報を配信する配信手段と、を備え、
上記配信手段は、上記配信要求に該当する配信情報を上記配信情報記憶手段に記憶していなかったとき、上記第２の通信手段により上記センタと通信を行って上記配信要求に該当する配信情報を獲得する配信情報獲得手段を含む、情報配信装置。
【請求項２】
所定のタイミングで上記センタと通信を行い、上記配信情報記憶手段に記憶する複数の配信情報を更新する更新手段を備えた請求項１に記載の情報配信装置。
【請求項３】
装置本体は、移動体に設置されており、
上記移動体の位置を取得する位置取得手段を備えるとともに、
上記更新手段は、少なくとも上記位置取得手段で取得した上記移動体の位置に応じて上記配信情報記憶手段に記憶する配信情報を選択し、記憶する手段である請求項２に記載の情報配信装置。
【請求項４】
上記更新手段の所定のタイミングは、上記移動体が予め設定されている位置を通過したタイミングである請求項３に記載の情報配信装置。
【請求項５】
現在時刻を計時するタイマを備え、
上記更新手段は、少なくとも現在時刻に応じて上記配信情報記憶手段に記憶する配信情報を選択し、記憶する手段である請求項２〜４のいずれかに記載の情報配信装置。
【請求項６】
上記配信情報記憶手段に記憶している情報を表示する表示部を備えた請求項１〜５のいずれかに記載の情報配信装置。
【請求項７】
上記配信手段による配信回数を上記配信情報毎にカウントする配信回数カウント手段を備えた請求項１〜６のいずれかに記載の情報配信装置。
【請求項８】
公衆回線を介して回線が接続された相手局との通信を行う第３の通信手段を備えた携帯情報端末において、
上記請求項１〜７のいずれかに記載の情報配信装置との無線通信を行う上記第１の通信手段を備えた携帯情報端末。
【請求項９】
上記情報配信装置から配信されてきた配信情報を記憶する記憶手段を備えた請求項８に記載の携帯情報端末。
【請求項１０】
微弱な電波または赤外線で無線通信を行う第１の通信手段を備えた情報配信装置および携帯情報端末を有する情報配信システムであって、
上記情報配信装置は、インタネットに接続され、配信情報を管理するセンタと通信を行う第２の通信手段と、
複数の配信情報を記憶する配信情報記憶手段と、
上記第１の通信手段による無線通信において上記携帯情報端末から配信情報の配信要求があったとき、上記配信情報記憶手段に記憶している配信情報を検索し、上記配信要求に対して該当する配信情報を配信する配信手段と、を備えるとともに、
上記配信手段は、上記配信要求に該当する配信情報を上記配信情報記憶手段に記憶していなかったとき、上記第２の通信手段により上記センタと通信を行って上記配信要求に該当する配信情報を獲得する配信情報獲得手段を含む、情報配信システム。
【手続補正３】
【補正対象書類名】明細書
【補正対象項目名】０００１
【補正方法】変更
【補正の内容】
【０００１】
【発明の属する技術分野】
この発明は、利用者が要求した配信情報を、該利用者に配信する情報配信装置、該情報配信装置から配信された配信情報を受信する携帯情報端末、および上記情報配信装置と携帯情報端末とを有する情報配信システムに関する。


【手続補正４】
【補正対象書類名】明細書
【補正対象項目名】０００８
【補正方法】変更
【補正の内容】
【０００８】
また、特開２０００−１４２４０８号に、車両内に設けた微弱な電波や赤外線による通信で次駅の情報等を送信する基地局と、該基地局から送信された情報を受信し表示する携帯端末装置とで構成したシステムが開示されている。このシステムは、情報の配信を微弱な電波や赤外線で行うことで、他の電子機器、特に乗客が装着しているペースメーカ、に与える影響を抑え、車両内（上記使用自粛場所）にいる利用者に情報の配信が行えるようにしている。


【手続補正５】
【補正対象書類名】明細書
【補正対象項目名】００１１
【補正方法】変更
【補正の内容】
【００１１】
また、この発明は上記情報配信装置から配信されてきた配信情報を受信する携帯情報端末を提供することを目的とする。


【手続補正６】
【補正対象書類名】明細書
【補正対象項目名】００１２
【補正方法】変更
【補正の内容】
【００１２】
さらに、この発明は上記情報配信装置および携帯情報端末で構成される情報配信システムを提供することを目的とする。


【手続補正７】
【補正対象書類名】明細書
【補正対象項目名】００１４
【補正方法】変更
【補正の内容】
【００１４】
（１）微弱な電波または赤外線で無線通信を行う第１の通信手段と、
インタネットに接続され、配信情報を管理するセンタと通信を行う第２の通信手段と、
複数の配信情報を記憶する配信情報記憶手段と、
上記第１の通信手段による無線通信において外部機器から配信情報の配信要求があったとき、上記配信情報記憶手段に記憶している配信情報を検索し、上記配信要求に対して該当する配信情報を配信する配信手段と、を備え、
上記配信手段は、上記配信要求に該当する配信情報を上記配信情報記憶手段に記憶していなかったとき、上記第２の通信手段により上記センタと通信を行って上記配信要求に該当する配信情報を獲得する配信情報獲得手段を含んでいる。


【手続補正８】
【補正対象書類名】明細書
【補正対象項目名】００１５
【補正方法】変更
【補正の内容】
【００１５】
上記構成では、第１の通信手段において外部機器との無線通信を微弱な電波または赤外線で行う。この第１の通信手段の通信エリアは数１０ｍ以下である。ここで言う微弱な電波は、通信エリアが数１０ｍ以下になる大きさの電波である。


【手続補正９】
【補正対象書類名】明細書
【補正対象項目名】００１６
【補正方法】変更
【補正の内容】
【００１６】
公知のブルー・ツースやＰＨＳのトランシーバモードが微弱な電波で無線通信を行う第１の通信手段として適用できる。ブルー・ツースは通信エリアが１０数ｍで、通信速度が１Ｍｂｐｓであり、高速のデータ通信が行え、また無線通信を微弱な電波で行うので周辺の電子機器に殆ど影響を及ぼさない。


【手続補正１０】
【補正対象書類名】明細書
【補正対象項目名】００１７
【補正方法】変更
【補正の内容】
【００１７】
なお、第１の通信手段は外部機器との無線通信を赤外線で行う構成であってもよい。
【手続補正１１】
【補正対象書類名】明細書
【補正対象項目名】００２１
【補正方法】変更
【補正の内容】
【００２１】
情報配信装置と外部機器との無線通信は、上述のように微弱な電波または赤外線で行われるので、周辺の電子機器を誤動作させることはない。したがって、携帯電話機の使用自粛が呼びかけられている場所（以下、使用自粛場所と言う。）であっても、情報配信装置と外部機器との無線通信については特に問題なく行える。このため、上記使用自粛場所であっても上記情報配信装置を設置すれば、上記外部機器を携帯している利用者（使用自粛場所にいる利用者）に対して配信情報の配信が行える。


【手続補正１２】
【補正対象書類名】明細書
【補正対象項目名】００２２
【補正方法】変更
【補正の内容】
【００２２】
また、現在携帯電話機の使用が禁止されている禁止場所であっても、微弱な電波による無線通信であれば許される場所については、利用者に対して配信情報の配信が行える。


【手続補正１３】
【補正対象書類名】明細書
【補正対象項目名】００２３
【補正方法】変更
【補正の内容】
【００２３】
上述の説明から明らかなように、上記外部機器は利用者が携帯できる携帯型のものが好ましく、第１の通信手段を設けたＰＤＡや携帯型のパソコン等の携帯型情報端末が考えられる。上記外部機器のさらに好ましいものとして携帯電話機があげれらる。その理由は、利用者が２つの機器（携帯電話機と外部機器）を携帯しなくてもよいからである。また、利用者が携帯電話機とは別に第１の通信手段を備えた外部機器を用意しなくてもよいので、利用者の金銭的な負担も抑えられるからである。


【手続補正１４】
【補正対象書類名】明細書
【補正対象項目名】００３０
【補正方法】変更
【補正の内容】
【００３０】
また、この発明にかかる携帯型情報端末は、上記情報配信装置と第１の通信手段で無線通信が行えるものである。したがって、利用者はこの携帯型情報端末を携帯するだけで、上記情報配信装置から配信情報を得ることができる。


【手続補正１５】
【補正対象書類名】明細書
【補正対象項目名】００３１
【補正方法】変更
【補正の内容】
【００３１】
なお、携帯型情報端末を携帯電話機とする場合、携帯電話機は、周知のように電話通信機能に対する電源供給が行われていると、定期的に基地局との間で無線通信を行う。したがって、携帯電話機は電話通信機能を停止させても、すなわち電話通信機能に対する電源供給を停止させても、第１の通信手段に対する電源供給が行えるように構成することが望ましい。すなわち、携帯電話機は電話機能を停止させても、情報配信装置から配信される配信情報の受信が行える構成が望ましい。


【手続補正１６】
【補正対象書類名】明細書
【補正対象項目名】００３２
【補正方法】変更
【補正の内容】
【００３２】
さらに、この発明の情報配信システムは、上記情報配信装置と携帯型情報端末とから構成されるシステムである。


【手続補正１７】
【補正対象書類名】明細書
【補正対象項目名】００３７
【補正方法】変更
【補正の内容】
【００３７】
第１の通信部１５は利用者５が携帯する携帯電話機６との無線通信を行う。この第１の通信部１５は、具体的には公知のブルー・ツースによる無線通信を行う構成である。ブルー・ツースは、公知のように通信エリアが数十ｍであり、微弱な電波を使用した無線通信である。ブルー・ツースで使用される前記微弱な電波は周囲の電子機器に殆ど影響を与えない。また、ブルー・ツースの通信速度は最大１Ｍｂｐｓである。


【手続補正１８】
【補正対象書類名】明細書
【補正対象項目名】００３８
【補正方法】変更
【補正の内容】
【００３８】
なお、上記第１の通信部１５はＰＨＳのトランシーバモードで無線通信を行う構成であってもよいし、赤外線で無線通信を行う構成であってもよい。


【手続補正１９】
【補正対象書類名】明細書
【補正対象項目名】００７８
【補正方法】変更
【補正の内容】
【００７８】
文字情報表示画面４３では、天気予報、ニュース、イベント情報等のヘッドライン情報がスクロール表示されている。この文字情報表示画面４２に表示されている情報も、新幹線の位置に応じて変化する。例えば、天気予報の場合、新幹線の位置に応じて、関東地域の天気予報（図８（Ａ））→中部地域の天気予報（図８（Ｂ））→関西地域の天気予報（図８（Ｃ））と変化する。これも、上述した記憶部１４に記憶している情報の更新にともなうものである。


【手続補正２０】
【補正対象書類名】明細書
【補正対象項目名】０１００
【補正方法】変更
【補正の内容】
【０１００】
【発明の効果】
以上のように、この発明によれば、情報配信装置と外部機器との無線通信を微弱な電波または赤外線で行うようにしたので、携帯電話機の使用自粛が呼びかけられている場所でも、インタネット上に存在する全ての配信情報を得ることができる。


【手続補正２１】
【補正対象書類名】明細書
【補正対象項目名】０１０１
【補正方法】変更
【補正の内容】
【０１０１】
また、現在携帯電話機の使用が禁止されている場所であっても、微弱な電波による無線通信であれば許される場所については、利用者に対して配信情報の配信が行える。